(57)【特許請求の範囲】
【請求項１】
ヨロイ、ブリッジなどの眼鏡部品に固着した雄ねじ部材をレンズに穿設した取付孔に挿通し、前記雄ねじ部材に螺着したナットにより前記レンズを前記眼鏡部品に締付け固定するレンズ支持構造において、
前記ナットは硬質の合成樹脂材料により成形され、外側面に回動工具係合部を設けたナット本体と、該ナット本体の締付け座面から同心状に延びるブッシング部とから成り、前記ブッシング部は前記取付孔の孔径よりやや小さな外径と前記取付孔の長さにほぼ等しいかやや短い長さを有し、前記ブッシング部から前記ナット本体まで前記雄ねじ部材のねじ部の外径よりやや小さい孔径を有するねじ無し穴が設けられており、
一方、前記雄ねじ部材の前記眼鏡部品に固着されている基部が、前記ねじ部の外径とほぼ等しい直径を有するねじ無し軸部に形成されていて、
前記ねじ無し穴を前記雄ねじ部材に嵌め合わせて前記ナットをねじ込むことにより、前記ねじ無し穴の内周面に雌ねじが成形されると共に、前記取付孔に嵌挿される前記ブッシング部が前記雌ねじの成形に伴って半径方向へ膨脹し、前記ナットのねじ込み完了間近において、前記ブッシング部が前記ねじ無し軸部によりさらに半径方向へ膨脹して、前記取付孔の内壁面に密着することを特徴とする縁無し眼鏡のレンズ支持構造。
【発明の詳細な説明】
【０００１】
【発明の属する技術分野】
本発明は、眼鏡レンズが嵌め込まれる縁枠を有しない縁無し眼鏡のレンズ支持構造に関する。
【０００２】
【従来の技術】
従来、縁無し眼鏡においてレンズをヨロイ、ブリッジなどの眼鏡部品に支持固定させるには、前記眼鏡部品に固着した雄ねじ部材をレンズに穿設した取付孔に軟質材からなるＴ形ワッシャを介して挿通し、前記雄ねじ部材に螺着したナットにより前記レンズを前記眼鏡部品に締付け固定する構造が最も一般的であった。
【０００３】
【発明が解決しようとする課題】
上記従来のレンズ支持構造は通常、金属製ナットを用いているが、眼鏡使用中に弛み易いという難点があった。また、レンズを損傷させないために、レンズの両面から取付孔にＴ形ワッシャを嵌め込んでいるため、部品点数が多く、組立作業に手間を要し全体としてコスト高になるという問題があった。
【０００４】
特公平８−１９９２９号公報には、上記従来の金属製ナットに代わる眼鏡用樹脂ナットが開示されている。該樹脂ナットは、ナット本体に前記雄ねじ部材のねじ部の外径よりやや小さい孔径を有するねじ無し穴を形成すると共に、該ナット本体とレンズの取付孔に嵌め込むブッシング部を合成樹脂材料によって一体成形した構成を有しており、前記ナット本体の前記ねじ無し穴を前記雄ねじ部材のねじ部にねじ込むことにより、前記ねじ無し穴の内周面に雌ねじが形成され、該雌ねじの弾性力で前記ナット本体の弛みを防止することができると共に、一体形成したブッシング部により従来のＴ形ワッシャが不要となり、組み付けコストの低減が図れるというものである。
【０００５】
ところで近年、ブリッジ、テンプルなどの眼鏡部品に形状記憶合金又は高弾性の金属材料が使用される傾向にあるが、この場合、眼鏡部品とレンズとの連結支持部には従来の眼鏡に比べて過大なねじり、こじりなどの負荷が掛かり、前述した樹脂ナットを用いても十分な弛み防止効果が得られないという問題が生じている。
【０００６】
本発明は、上記事情に鑑みてなされたものであり、前述した樹脂ナットを改良して、眼鏡部品とレンズとの連結支持部にがたつきを無くすことができると共に、ナット自体の弛み防止効果が大きい縁無し眼鏡のレンズ支持構造を提供することを目的としている。
【０００７】
【課題を解決するための手段】
上記目的を達成するために、本発明は、ヨロイ、ブリッジなどの眼鏡部品に固着した雄ねじ部材をレンズに穿設した取付孔に挿通し、前記雄ねじ部材に螺着したナットにより前記レンズを前記眼鏡部品に締付け固定するレンズ支持構造において、前記ナットは硬質の合成樹脂材料により成形され、外側面に回動工具係合部を設けたナット本体と、該ナット本体の締付け座面から同心状に延びるブッシング部とから成り、前記ブッシング部は前記取付孔の孔径よりやや小さな外径と前記取付孔の長さにほぼ等しいかやや短い長さを有し、前記ブッシング部から前記ナット本体まで前記雄ねじ部材のねじ部の外径よりやや小さい孔径を有するねじ無し穴が設けられており、一方、前記雄ねじ部材の前記眼鏡部品に固着される基部が、前記ねじ部の外径とほぼ等しい直径を有するねじ無し軸部に形成されていて、前記ねじ無し穴を前記雄ねじ部材に嵌め合わせて前記ナットをねじ込むことにより、前記ねじ無し穴の内周面に雌ねじが成形されると共に、前記取付孔に嵌挿される前記ブッシング部が前記雌ねじの成形に伴って半径方向へ膨張し、前記ナットのねじ込み完了間近において、前記ブッシング部が前記ねじ無し軸部によりさらに半径方向へ膨張して前記取付孔の内壁面に密着することを特徴とする。
【０００８】
【発明の実施の形態】
以下、本発明の好適な実施の形態を図面に基づいて説明する。
【０００９】
図１は、本発明によるレンズ支持構造を構成する部品の分解状態を示しており、図２は、同主要部品である樹脂ナットの平面図である。図１において、ヨロイ、ブリッジなどの眼鏡部品１の端部に取付片２を介して雄ねじ部材３と共回り止めピン４が平行に配設して固着突設される構成と、眼鏡レンズ５の端部に雄ねじ部材３を挿通する取付孔６と共回り止めピン４を係合する切欠部７が設けられている構成は従来構造と同じである。なお、切欠部７は係合孔に形成する場合もある。雄ねじ部材３は金属製ねじで、眼鏡部品１に固着される基部９がねじ部８のねじ山の外径Ｄとほぼ等しい直径を有するねじ無し軸部に形成されており、該基部９に軟質の合成樹脂材料、例えばナイロン又はポリカーボネイト製のワッシャ１０が嵌め込まれている。
【００１０】
雄ねじ部材３に螺着される樹脂ナット１１は、例えばポリアセタール樹脂又はポリアミド樹脂などの硬質の合成樹脂材料により一体成形され、外側面に六角柱状に形成された回動工具の係合部１３を有するナット本体１２と、該ナット本体１２の座面側に連設されたフランジ部１４と、該フランジ部１４に連設されナット本体１２と同心状に延びるブッシング部１５とからなり、フランジ部１４のブッシング部１５に隣接する座面がナット本体１２の締付け座面１６を形成している。ブッシング部１５は、レンズ５の取付孔６の孔径Ａよりやや小さな外径Ｂと、取付孔６の長さＫにほぼ等しいかやや短い長さＬを有しており、該ブッシング部１５の端面からナット本体１２まで延びるねじ無し穴１７が設けられている。該ねじ無し穴１７は雄ねじ部材３のねじ部８の外径よりやや小さい孔径Ｃを有し、図１及び図２に示す実施の形態においては、ねじ無し穴１７がナット本体１２の内奥で封鎖されたキャップナットに構成されていて、ナット本体１２の頂部に帽体１８が一体に形成されている。
【００１１】
図３は、上記のような構成された各部品を用いてレンズ５を眼鏡部品１に支持固定した状態を示している。先ず、雄ねじ部材３のねじ部８をレンズ５の取付孔６に挿通すると共に、共回り止めピン４をレンズ５の切欠部７に係合させた状態で、樹脂ナット１１のねじ無し穴１７をねじ部８に嵌め合わせ、ナット本体１２の係合部１３に六角レンチその他、回動工具を係合して樹脂ナット１１をねじ込むと、ねじ部８がねじ無し穴１７の内周壁面に喰い込んで雌ねじ２０が成形される。このようにして成形された雌ねじ２０は樹脂材料の弾性によりねじ部８に密着するので、すぐれた弛み防止機能を有している。また、雌ねじ２０の成形によってブッシング部１５が半径方向へ僅かに膨張する。このようにねじ無し穴１７の内周壁面に雌ねじ２０を成形しながら樹脂ナット１１が眼鏡部品２側へ前進移動し、そのブッシング部１５がレンズ５の取付孔６に嵌挿され、さらにフランジ部１４の締付け座面１６がレンズ５に密着するねじ込み完了の間近になると、ブッシング部１５の雌ねじ２０が成形されている開口部が雄ねじ部材３のねじ無し軸部から成る基部９によって半径方向へ膨張せしめられ、取付孔６の内壁面に密着すると共に、基部９に嵌装されている樹脂ワッシャ１０に押接して締付け作業が完了し、レンズ５が樹脂ナット１１により眼鏡部品２に支持固定される。この支持固定状態においては、図４に良く示されているように、樹脂ナット１１に成形された雌ねじ２０が雄ねじ部材３のねじ部８に密着していると共に、基部９により半径方向へ膨張せしめられたブッシング部１５が取付孔６の内壁面に密着し、さらにフランジ部１４の締付け座面１６と樹脂ワッシャ１０がレンズ５に密着しているので、レンズ５と眼鏡部品２との連結支持部分にがたつきを生じるおそれがなく、樹脂ナット１１自体の弛みも効果的に防止される。
【００１２】
図５及び図６は、樹脂ナット１１のねじ無し穴１７がナット本体１２を貫通して設けられている実施の形態を示しており、使用方法は、図１ないし図４に示した実施形態と同様であるので、同一の構成部分に同一の符号を付して説明は省略する。
【００１３】
図７の実施形態は、図１に示した実施の形態と類似しており、樹脂ナット１１に設けるねじ無し穴１７が、ブッシング部１５の開口端でねじ部８の外径Ｄとほぼ等しいか、やや大きい直径を有し、ナット本体１２の内奥径端でねじ部８の外径Ｄよりやや小さい直径を有するテーパ穴１７′に形成した点及びブッシング部１５の外周面１５ａを先細のテーパ面に形成した点が異なっている。このようにテーパ穴１７′にすると、雄ねじ部材３のねじ部８に嵌め合わせて樹脂ナット１１をねじ込む際に、初期のねじ込み抵抗が小さいので、ねじ込みによる雌ねじ２０の成形が容易になる利点がある。また、ブッシング部１５の外周面１５ａを先細のテーパ面に形成すると、レンズ５の取付孔６に対する挿通が容易になり、また、取付孔６の孔径Ａのばらつきに対しても対応することができるので、一層効果的である。
【００１４】
【発明の効果】
以上説明したように、本発明によれば、眼鏡部品に固着した雄ねじ部材のねじ部に螺着する樹脂ナットは、そのねじ無し穴の内周面に成形された雌ねじが前記ねじ部に密着するだけではなく、ナット本体と一体に形成されたブッシング部が半径方向へ膨張してレンズの取付孔の内壁面に密着し、さらにナット本体の締付け座面がレンズに密着する前記ナットのねじ込み完了間近において、前記ブッシング部が前記ねじ無し軸部によりさらに半径方向へ膨出せしめられるので、レンズと雄ねじ部材を固着した眼鏡部品との連結支持部にがたつきを生じるおそれがなく、しかも樹脂ナット自体の弛み防止も確実であるから、レンズ及び眼鏡部品に作用するこじり、ねじりなどの外力に対して極めて強い。
【図面の簡単な説明】
【図１】  本発明によるレンズ支持構造を構成する部品を分解して示す一部縦断正面図である。
【図２】  同主要部を構成する樹脂ナットの平面図である。
【図３】  本発明によるレンズ支持構造を示す縦断正面図である。
【図４】  同上要部の拡大断面図である。
【図５】  本発明の別の実施形態におけるレンズ支持構造を構成する部品を分解して示す一部縦断正面図である。
【図６】  図５に示す実施形態におけるレンズ支持構造を示す縦断正面図である。
【図７】  本発明のさらに別の実施形態におけるレンズ支持構造を構成する部品を分解して示す一部縦断正面図である。
【符号の説明】
１  眼鏡部品（ヨロイ、ブリッジ）
２  取付片
３  雄ねじ部材
４  共回り止めピン
５  眼鏡レンズ
６  取付孔
７  切欠部
８  ねじ部
９  ねじ無し軸部
１０  樹脂ワッシャ
１１  樹脂ナット
１２  ナット本体
１３  回動工具係合部
１４  フランジ部
１５  ブッシング部
１６  締付け座面
１７  ねじ無し穴
１８  帽体
２０  雌ねじ
【図１】
0003793079.tif 000002
【図２】
0003793079.tif 000003
【図３】
0003793079.tif 000004
【図４】
0003793079.tif 000005
【図５】
0003793079.tif 000006
【図６】
0003793079.tif 000007
【図７】
0003793079.tif 000008